(57)【要約】【課題】ノート等に印刷されている統計欄に予め印刷されているデータは勿論のこと、ユーザが統計欄に記入したデータであっても、これらを見やすくし、簡単にチェックすることができるチェックシート、及びこのチェックシートを備えたノートを提供する。【解決手段】並列された複数の統計欄を有する紙面上に載置された際に、前記複数の統計欄の一つである第１の統計欄に対応する第１の領域と、前記紙面上に載置された際に、前記第１の統計欄に隣接する第２の統計欄に対応する第２の領域と、前記紙面上に載置された際に、前記第２の統計欄の前記第１の統計欄とは反対側に隣接する第３の統計欄に対応する第３の領域を有し、前記第１の領域及び第３の領域の透過率が、前記第２の領域の透過率よりも低いチェックシート１０である。【選択図】図３
2010131866.tif 000002
【特許請求の範囲】
【請求項１】
並列された複数の統計欄を有する紙面上に載置され、当該統計欄に記入されたデータをチェックするチェックシートであって、
前記紙面上に載置された際に、前記複数の統計欄の一つである第１の統計欄に対応する第１の領域と、
前記紙面上に載置された際に、前記第１の統計欄に隣接する第２の統計欄に対応する第２の領域と、
前記紙面上に載置された際に、前記第２の統計欄の前記第１の統計欄とは反対側に隣接する第３の統計欄に対応する第３の領域と、
を有し、
前記第１の領域及び第３の領域の透過率が、前記第２の領域の透過率よりも低いチェックシート。
【請求項２】
前記第１の領域及び第３の領域は、所定の色で着色されてなり、前記第２の領域は透明である請求項１記載のチェックシート。
【請求項３】
前記第２の領域は貫通穴である請求項１または請求項２記載のチェックシート。
【請求項４】
下敷きとしての機能を有する請求項１または請求項２記載のチェックシート。
【請求項５】
並列された複数の統計欄が印刷された紙面が複数綴じられてなるノートと、
請求項１ないし請求項４のいずれか一項に記載されたチェックシートと、
を備えてなるチェックシート付きノート。
【発明の詳細な説明】
【技術分野】
【０００１】
本発明は、チェックシートに係り、特にノート等に印刷されている統計欄に記入したデータを見やすくし、簡単にチェックすることができるチェックシートに関する。
【背景技術】
【０００２】
従来から、学習参考書等に記載されている単語や内容等を隠し、暗記等の学習効率を高める目的でチェックシートが使用されている。具体的には、例えば、学習参考書での学習効率を高めるため、重要語句を赤色で印刷し、赤色の透明なチェックシートを重ねてその重要語句を消し込み、反復的に学習できるようにした仕組みが広く知られている。また、これとは逆に、学習者がチェックシートを重ねることによって自ら消し込む語句を定めたい場合には、緑色のマーカーで所定の語句をマークし、赤色の透明なチェックシートを重ねて、その語句を判読不能とする方法もある。
【０００３】
また、近年では、所定の色の透明又は半透明のチェックシートと、前記所定の色の補色を含む第１の色で形成された秘密情報部と、前記補色以外の第２の色で形成され、前記秘密情報部と交ざり合って、前記秘密情報部を判読困難にする地紋部とを備え、前記秘密情報部及び前記地紋部に前記チェックシートを重ねると、前記秘密情報部からの光の第１の色部分を前記チェックシートが透過し、前記地紋部からの光の第２の色部分を前記チェックシートが吸収し、前記秘密情報部が判読可能となる印刷物が提案されている。（例えば、特許文献１参照）。
【特許文献１】特開２００６−８２３９１号公報
【発明の開示】
【発明が解決しようとする課題】
【０００４】
しかしながら、従来のチェックシートは、暗記等の学習効率を高める目的で使用されるため、当該チェックシートは、全体が同じ色（例えば、透明な赤色）で着色されており、当該チェックシートによって消し込みたい語句を当該チェックシートと同じ色で印刷する必要がある。すなわち、このチェックシートは、当該チェックシートと異なった色の文字が印刷されている印刷物では、チェックシートとしての機能を発揮することができない。
【０００５】
また、引用文献１に記載されたチェックシートも学習効率を高める目的で使用されるため、当該チェックシートは全体が同じ色で着色されており、このチェックシートにより学習が進められる印刷物は、当該チェックシートによって消し込みたい部分（秘密情報部）を地紋部と交ぜ合わせた状態で印刷しておく必要がある。したがって、このチェックシートも、予め秘密情報部と地紋部とが交ぜ合わされている部分でのみしかチェックシートとしての機能を発揮することができない。
【０００６】
本発明は、このような事情に鑑みなされたものであり、ノート等に印刷されている統計欄に予め印刷されているデータは勿論のこと、ユーザが統計欄に記入したデータであっても、これらを見やすくし、簡単にチェックすることができるチェックシート、及びこのチェックシートを備えたノートを提供することを目的とする。
【課題を解決するための手段】
【０００７】
この目的を達成するため本発明は、並列された複数の統計欄を有する紙面上に載置され、当該統計欄に記入されたデータをチェックするチェックシートであって、前記紙面上に載置された際に、前記複数の統計欄の一つである第１の統計欄に対応する第１の領域と、前記紙面上に載置された際に、前記第１の統計欄に隣接する第２の統計欄に対応する第２の領域と、前記紙面上に載置された際に、前記第２の統計欄の前記第１の統計欄とは反対側に隣接する第３の統計欄に対応する第３の領域とを有し、前記第１の領域及び第３の領域の透過率が、前記第２の領域の透過率よりも低いチェックシートを提供するものである。
【０００８】
この構成を備えたチェックシートは、第１の統計欄の上に位置する第１の領域の透過率及び第３の統計欄の上に位置する第３の領域の透過率が、前記第２の統計欄の上に位置する第２の領域の透過率よりも低いため、紙面上に載置された際に、第１の統計欄及び第３の統計欄に記入（記載）されているデータよりも、第２の統計欄に記入されているデータを見やすくすることができる。なお、本発明でいうデータとは、数字や文字、記号等、様々な情報を含むものとする。
【０００９】
ここで、本発明に係るチェックシートは、第２の領域の片側に第１の領域が位置し、当該第２の領域の前記片側とは反対側に第３の領域が位置しており、前記第２の領域は、当該第１の領域と第２の領域によって挟まれた配置となっているため、並列された第１の統計欄、第２の統計欄、第３の統計欄に、様々なデータが記入されていても、第２の統計欄に記入されているデータを、その両側の統計欄に記入されているデータに紛らわされることなく、読み取ることができる。
【００１０】
また、本発明に係るチェックシートは、前記第１の領域及び第３の領域が所定の色で着色されており、前記第２の領域が透明であってもよい。あるいは、第２の領域は、前記第１の領域及び第３の領域とは異なる色で着色されていてもよい。このように、第２の領域を着色する場合は、チェックシートを紙面上に載置した際に、第１の領域及び第３の領域の下に位置するデータに比べ、第２の領域の下に位置するデータが見やすくなるような色を選択することが望ましい。
【００１１】
そしてまた、本発明に係るチェックシートは、前記第１の領域及び第３の領域が半透明であってもよく、チェックシートを紙面上に載置した際に、前記第１の領域及び第３の領域の下に位置するデータを完全に隠すよう、不透明であってもよい。
【００１２】
さらにまた、本発明に係るチェックシートは、前記第２の領域が貫通穴となっていてもよい。すなわち、前記第２の領域は、当該貫通穴を画定する縁によって囲まれた領域であってもよい。このように構成することで、前記利点に加え、チェックシートを紙面上に載置した際に、前記貫通穴を介して、前記第２の統計欄にデータを追記（書き込む）こともできる。
【００１３】
また、本発明に係るチェックシートは、下敷きとしての機能を有することもできる。この構成の場合、例えば、複数の統計欄を有する紙面が複写式であり、この複写式の紙が複数枚重ねられているノートや伝票等であったとしても、紙面に記入する際の圧力を、複写の必要がない紙面にまで及ぼすことを防止することができる。
【００１４】
また、本発明は、並列された複数の統計欄が印刷された紙面が複数綴じられてなるノートと、前述したチェックシートを備えてなるチェックシート付きノートを提供するものである。
【発明の効果】
【００１５】
本発明によれば、紙面上にチェックシートを載置された際に、第１の統計欄及び第３の統計欄に記入（記載）されているデータよりも、第２の統計欄に記入されているデータを見やすくすることができる。この結果、並列された第１の統計欄、第２の統計欄、第３の統計欄に、様々なデータが記入されていても、第２の統計欄に記入されているデータを、その両側の統計欄に記入されているデータに紛らわされることなく、読み取ることができるチェックシート、及びチェックシート付きノートを提供することができる。
【発明を実施するための最良の形態】
【００１６】
次に、本発明の好適な実施の形態に係るチェックシート及びチェックシート付きノートについて図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１７】
図１は、本発明の実施の形態に係るチェックシートの平面図、図２は、本発明の実施の形態に係るノートの斜視図、図３及び図４は、図１に示すチェックシートを図２に示すノートの紙面上に置いた状態を示す斜視図である。なお、前記各図では、説明を判り易くするため、各部材の厚さやサイズ、拡大・縮小率等は、実際のものとは一致させずに記載した。
【００１８】
本実施の形態に係るノート５０は、特に図２に示すように、ユーザ（例えば、糖尿病患者）が血糖値の値等を管理するために使用する自己管理ノートであり、普通紙と、当該普通紙の下に配設されたカーボン紙からなる複写式の頁のセットが複数積層された構成を有している。各々の紙面の上部には、名前や日付を記入する欄があり、その下側には、注射するインスリンの量等を記入する覚書欄５１が設けられている。また、この覚書欄５１の下側には、左側から順に、日付が記入された日付欄５２、朝食前の血糖値を記入する朝前欄５３、朝食後の血糖値を記入する朝後欄５４、昼食前の血糖値を記入する昼前欄５５、昼食後の血糖値を記入する昼後欄５６、夕食前の血糖値を記入する夕前欄５７、夕食後の血糖値を記入する夕後欄５８、就寝前の血糖値を記入する就前欄５９、例えば、食事・運動・低血糖等の備考を記入する備考欄６０が設けられている。
【００１９】
チェックシート１０は、樹脂板から構成されており、ノート５０の頁サイズとほぼ同様のサイズを有し、その右側上部には、ユーザが把持可能であると共に、ノート５０に挟んだ際に、しおりの機能を果たす延出部１１が形成されている。また、チェックシート１０は、図３に示すように、ノート５０の紙面上に載置した際に、覚書欄５１と対応する領域（ほぼ重なる領域）となる第１の窓６１と、朝後欄５４と対応する領域となる第２の窓６４と、昼後欄５６と対応する領域となる第３の窓６６と、夕後欄５８と対応する領域となる第４の窓６８と、備考欄６０と対応する領域となる第５の窓７０が透明であり、その他の領域（図１等で薄い網がけで示す領域）が半透明であり且つ所定の色（例えば、緑等）で着色されている。なお、半透明な領域の透過率は、透明な領域の透過率よりも低いため、チェックシート１０をノート５０の紙面上に載置した際には、透明な領域の下に位置する部分が見えやすくなり、半透明な領域の下に位置する部分が見えにくくなる。
【００２０】
ここで、ユーザは、通常、朝食前及び朝食後の血糖値、昼食前及び昼食後の血糖値、夕食前及び夕食後の血糖値、就寝前の血糖値を測定し、これらの値をノート５０の朝前欄５３、朝後欄５４、昼前欄５５、昼後欄５６、夕前欄５７、夕後欄５８、就前欄５９に、各々記入するが、記入された血糖値（データ）の数が多くなると、欄毎のデータが見にくくなり、測定時毎や日々の血糖値の変化を認知することが困難となる。そこで、図３に示すように、このノート５０の紙面上にチェックシート１０を載置することで、朝前欄５３、昼前欄５５、夕前欄５７、就前欄５９が半透明な部分でほぼ隠された状態となり、朝後欄５４、昼後欄５６、夕後欄５８上には、チェックシート１０の透明な領域（窓領域）が重なるため、朝後欄５４、昼後欄５６、夕後欄５８に記入された血糖値を、他の欄の血糖値に惑わされることなく読み取ることができる。
【００２１】
また、例えば、図４に示すように、チェックシート１０を右側にずらすことで、昼前欄５５上に第２の窓６４が位置し、夕前欄５７上に第３の窓６６が位置し、就前欄５９に第４の窓６８が位置し、その他の欄が半透明な部分でほぼ隠された状態となるため、昼前欄５５、夕前欄５７、就前欄５９に記入された血糖値を、他の欄の血糖値に惑わされることなく読み取ることができる。このように、チェックシート１０を任意にずらして、読み取りたい血糖値が記載されている欄上に透明な領域（窓）を位置させることで、読み取りたい欄に記入されている血糖値を他の欄の血糖値に惑わされることなく読み取ることができる。
【００２２】
なお、ノート５０は複写式であるため、所定の欄に血糖値や備考等を記入する際には、下敷きを用いて不必要な頁に筆圧がかからないようにする必要がある。この時、チェックシート１０を下敷きとして使用することもできる。
【００２３】
また、本実施の形態では、第１の窓６１、第２の窓６４、第３の窓６６、第４の窓６８、第５の窓７０を透明な樹脂から構成した場合について説明したが、これに限らず、第１の窓６１、第２の窓６４、第３の窓６６、第４の窓６８、第５の窓７０は、これ以外の領域よりも透過率が高ければ、着色された半透明な樹脂から構成されてもよい。この場合、各々の窓の透過率は、必ずしも同じでなくてもよく、また色も窓毎に各々決定することもできる。
【００２４】
そしてまた、第１の窓６１、第２の窓６４、第３の窓６６、第４の窓６８、第５の窓７０は、貫通孔から構成されてもよい。また、これらの窓のうちの少なくとも一つを貫通孔から構成してもよい。この場合は、チェックシート１０を紙面上に載置した状態であっても、これらの窓を通してノート５０の所定欄に血糖値や備考等を記入することができる。また、この構成の場合は、チェックシート１０を下敷きとして用いずに、他の下敷きを使用することが好ましい。この他の下敷きは、独立した下敷きであってもよく、あるいは、例えば、ノート５０の裏表紙の図２でいう右縁から連続して延出し、裏表紙の図２でいう右縁を折山として内側に折り畳み可能であると共に、ノート５０の頁とほぼ同じサイズを有する延出部を設け、この延出部を下敷きとして使用してもよい。
【００２５】
さらにまた、本実施の形態では、ノート５０が自己管理ノートである場合について説明したが、これに限らず、３列（第１の統計欄、第２の統計欄、第３の統計欄）以上の統計欄を有する紙面を備えていれば、例えば、単票等であってもよい。また、加工統計欄の位置やサイズ、形状等は、任意に選択することができる。なお、本実施の形態の場合、例えば、朝前欄５３を第１の統計欄に相当させ、朝後欄５４を第２の統計欄に相当させ、昼前欄５５を第３の統計欄に相当させる等、各々隣接した３列の統計欄のうち、データを読み取りたい欄を第２の統計欄とし、この第２の統計欄の両側に位置しており、データを目立たなくさせたい欄を、第１の統計欄、第３の統計欄とすればよい。
【００２６】
さらにまた、チェックシート１０の各々の窓の形成数や、サイズ、形状等は、チェックシート１０が載置される紙面に応じて任意に選択することができる。
【００２７】
また、本実施の形態では、窓以外の領域を、所定の色で着色された半透明な樹脂から形成した場合について説明したが、これに限らず、窓以外の領域は不透明であってもよい。
【図面の簡単な説明】
【００２８】
【図１】本発明の実施の形態に係るチェックシートの平面図である。
【図２】本発明の実施の形態に係るノートの斜視図である。
【図３】図１に示すチェックシートを図２に示すノートの紙面上に置いた状態を示す斜視図である。
【図４】図１に示すチェックシートを図２に示すノートの紙面上に置いた状態を示す斜視図である。
【符号の説明】
【００２９】
１０    チェックシート
５０    ノート
５１    覚書欄
５２    日付欄
５３    朝前欄
５４    朝後欄
５５    昼前欄
５６    昼後欄
５７    夕前欄
５８    夕後欄
５９    就前欄
６０    備考欄
６１    第１の窓
６４    第２の窓
６６    第３の窓
６８    第４の窓
７０    第５の窓
【図２】
2010131866.tif 000003
【図１】
2010131866.tif 000004
【図３】
2010131866.tif 000005
【図４】
2010131866.tif 000006